(57)【要約】      （修正有）【課題】  点字、浮出し文字、浮出し画像を作成するために用いられる熱発泡樹脂（エンボスパウダー）を接着させる糊剤の役割をする下絵の作成をインクジェットプリンターで出力するプリンター用紙を提供すること。【解決手段】顔料系インクもしくは染料系インクの良好な吸着機能を持ちまた出力の解像度、彩度を落とすことなくプリンターインクの吸収速度の進行を遅らしめる樹脂を紙又は他の基材にコーティグされた本発明のプリンター用紙は、出力されたプリンターインク自体が熱発泡樹脂を接着させる糊剤としての機能を持たすことを可能にした。【選択図】図１
2006272783.tif 000002
【特許請求の範囲】
【請求項１】
点字、浮出し文字、浮出し画像を作成するため、インクジェットプリンターで出力した文字、画像に熱発泡樹脂（エンボスパウダー）を接着させる機能を持つインクジェットプリンター用紙。
【発明の詳細な説明】
【技術分野】
【０００１】熱発泡樹脂（エンボスパウダー）を用いて点字、浮出し文字、浮出し画像を作成する手法で文字、画像に熱発泡樹脂を接着させる糊剤の下絵作成に関するものである。
【背景技術】
【０００２】従来の下絵作成方法としては印刷法による糊剤の形成、スタンプで糊剤を形成、手書きで糊剤を書く手法が用いられる。
【発明が解決しようとする課題】
【０００３】従来の下絵作成方法において、印刷法は装置を必要とし、また技術も要求され手間と費用、時間もかかる、またスタンプ法は画像の印型を購入する必要がありまた独創性も無い、手書き方法においても糊剤、発泡樹脂の色分け等下絵作成に時間もかかるのが現状であるが本発明により高画質な文字、画像を迅速にかつ簡単に糊剤の役割をする下絵をインクジェットプリンターを用いて作成するプリンター用紙を提供することを課題とする。
【課題を解決するための手段】
【０００４】上記を解決する手段として、染料系もしくは顔料系インクジェットプリンターインクに優れた付着性があり、また解像度、彩度を落とすことなくインクの吸収性を遅らせる機能を持たせた水溶性樹脂を紙又は他の基材に少なくとも片面に塗布し出力後５分程度インクの未乾燥状態を維持させる事により糊剤としての機能を持たすことを解決の手段とした。
【発明実施の形態】
【０００５】実施例１  インク吸収性と良質な再現性のある水溶性樹脂の選択として考えられる樹脂を各種テストした結果、ポリビニールアルコール樹脂が最適である事を得、この樹脂の重合度、ケン化度の違いによるインクの吸収速度、インクの再現性の評価を行うため、ケン化と重合度の高い物と低い物を４種類選択しそれぞれ３％濃度の塗布溶液を作成しインクジェット出力用紙の基材として基材自体がインク吸収に影響を及ぼさないようポリエステルフイルム（１００ミクロン）を用いバーコート法により塗布し５０度の温風で乾燥させたあと、一般的に使用されると考えるインクジェットプリンター３種類を使用（顔料系エプソンＰＸ−Ｖ６００、染料系キャノンＢＪＦ６６００、染料系エプソンＰＭ−７３０Ｃ）、０．５ｍｍ、２ｍｍ、５ｍｍ幅のチャートと写真画像をテスト基材に出力しインクの吸収性と再現性の評価をした。評価方法はインク吸収性については乾燥時間を計測した。出力後１分、３分、５分を経過したそれぞれのパターンに発泡樹脂をふりかけ接着するかを評価の基準とした。インクの再現性については目視でにじみ、再現性の良否を確認した。上記テストの結果、ポリビニールアルコール樹脂のケン化度の違いにおいては画像の再現性、インクの乾燥性双方差異は見られない。重合度の違いにおいて画像の再現性とインクの吸収性に差異が確認された。
【０００６】実施例２  上記テストから重合度の高い物は画像の再現性が良く、インクの吸収性が遅いと判断されたため、さらに重合度の高くケン化度の異なる２種類を実際に使用頻度の高いと考えられる紙に塗布して基材の違いに影響が出るかをテストするため、コート紙（８０ｇ）に塗布し実施例１と同様に評価を行った。テストの結果、ケン化度の差異については高ケン化度のものが吸収性の遅いことが確認された。しかしながら、紙へのインク吸収が影響しインクの吸収速度を速め、出力後１分程度で乾燥し短時間で目的の接着性が無くなることが確認された。
【０００７】実施例３  出力後の熱発泡剤の接着作業時間を３分〜５分と仮定して乾燥時間を同程度に維持するため検討を重ねた結果、紙とポリビニールアルコール樹脂の間にインクの吸収性を調整する層を加える事にし樹脂をテスト検討し水性ビニール樹脂を選択した。次にこの水性ビニールの２種類の溶液（濃度１００％、２０％）を作成し、バーコート法で塗布後その上にポリビニールアルコール樹脂を塗布、実施例２と同様のテストを行った結果２０％濃度の物はインク吸収調整の機能を十分に果たし５分間の未乾燥状態を維持する効果があることが確認された。
【発明の効果】
【０００８】本発明品のインクジェットプリンター用紙を使用することによりパソコンで作成した点字文字、また一般の文字、画像がそのまま出力できることから従来の印刷法、手書きの手法に比べ迅速かつ高品質の点字文字、浮出し文字、浮出し画像の作成が可能になる。また技術度の要求された写真画像、多色物画像においては本方法により何人にも容易に作成出来る効果がある。
【図面の簡単な説明】
【０００９】１  プリンターインクの吸着層（インク吸着層）２  インク吸着調整層（紙へのインク吸収度を抑えるための層）３  基材（紙もしくはフイルム）
【図１】
2006272783.tif 000003
【手続補正書】
【提出日】平成17年5月2日(2005.5.2)
【手続補正１】
【補正対象書類名】明細書
【補正対象項目名】全文
【補正方法】変更
【補正の内容】
【発明の詳細な説明】
【技術分野】
【０００１】熱発泡樹脂（エンボスパウダー）を用いて点字、浮出し文字、浮出し画像を作成する手法で文字、画像に熱発泡樹脂を接着させる糊剤の下絵作成に関するものである。
【背景技術】
【０００２】従来の下絵作成方法としては印刷法による糊剤の形成、スタンプで糊剤を形成、手書きで糊剤を書く手法が用いられる。
【発明が解決しようとする課題】
【０００３】従来の下絵作成方法において、印刷法は装置を必要とし、また技術も要求され手間と費用、時間もかかる、またスタンプ法は画像の印型を購入する必要がありまた独創性も無い、手書き方法においても糊剤、発泡樹脂の色分け等下絵作成に時間もかかるのが現状であるが本発明により高画質な文字、画像を迅速にかつ簡単に糊剤の役割をする下絵をインクジェットプリンターを用いて作成するプリンター用紙を提供することを課題とする。
【課題を解決するための手段】
【０００４】上記を解決する手段として、染料系もしくは顔料系インクジェットプリンターインクに優れた付着性があり、また解像度、彩度を落とすことなくインクの吸収性を遅らせる機能を持たせた水溶性樹脂を紙又は他の基材に少なくとも片面に塗布し出力後５分程度インクの未乾燥状態を維持させる事により糊剤としての機能を持たすことを解決の手段とした。
【発明実施の形態】
【０００５】実施例１  インク吸収性と良質な再現性のある水溶性樹脂の選択として考えられる樹脂を各種テストした結果、ポリビニールアルコール樹脂が最適である事を得、この樹脂の重合度、ケン化度の違いによるインクの吸収速度、インクの再現性の評価を行うため、ケン化と重合度の高い物と低い物を４種類選択しそれぞれ３％濃度の塗布溶液を作成しインクジェット出力用紙の基材として基材自体がインク吸収に影響を及ぼさないようポリエステルフイルム（１００ミクロン）を用いバーコート法により塗布し５０度の温風で乾燥させたあと、一般的に使用されると考えるインクジェットプリンター３種類を使用（顔料系エプソンＰＸ−Ｖ６００、染料系キャノンＢＪＦ６６００、染料系エプソンＰＭ−７３０Ｃ）、０．５ｍｍ、２ｍｍ、５ｍｍ幅のチャートと写真画像をテスト基材に出力しインクの吸収性と再現性の評価をした。評価方法はインク吸収性については乾燥時間を計測した。出力後１分、３分、５分を経過したそれぞれのパターンに発泡樹脂をふりかけ接着するかを評価の基準とした。インクの再現性については目視でにじみ、再現性の良否を確認した。上記テストの結果、ポリビニールアルコール樹脂のケン化度の違いにおいては画像の再現性、インクの乾燥性双方差異は見られない。重合度の違いにおいて画像の再現性とインクの吸収性に差異が確認された。
【０００６】実施例２  上記テストから重合度の高い物は画像の再現性が良く、インクの吸収性が遅いと判断されたため、さらに重合度の高くケン化度の異なる２種類を実際に使用頻度の高いと考えられる紙に塗布して基材の違いに影響が出るかをテストするため、ニート紙（８０ｇ）に塗布し実施例１と同様に評価を行った。テストの結果、ケン化度の差異については高ケン化度のものが吸収性の遅いことが確認された。しかしながら、紙へのインク吸収が影響しインクの吸収速度を速め、出力後１分程度で乾燥し短時間で目的の接着性が無くなることが確認された。
【０００７】実施例３  出力後の熱発泡剤の接着作業時間を３分〜５分と仮定して乾燥時間を同程度に維持するため検討を重ねた結果、紙とポリビニールアルコール樹脂の間にインクの吸収性を調整する層を加える事にし樹脂をテスト検討し水性ビニール樹脂を選択した。次にこの水性ビニールの２種類の溶液（濃度１００％、２０％）を作成し、バーコート法で塗布後その上にポリビニールアルコール樹脂を塗布、実施例２と同様のテストを行った結果２０％濃度の物はインク吸収調整の機能を十分に果たし５分間の未乾燥状態を維持する効果があることが確認された。
【発明の効果】
【０００８】本発明品のインクジェットプリンター用紙を使用することによりパソコンで作成した点字文字、また一般の文字、画像がそのまま出力できることから従来の印刷法、手書きの手法に比べ迅速かつ高品質の点字文字、浮出し文字、浮出し画像の作成が可能になる。また技術度の要求された写真画像、多色物画像においては本方法により何人にも容易に作成出来る効果がある。
【図面の簡単な説明】
【０００９】
【図１】は本発明の薬品の塗布状態を示す中央断面図
【符号の説明】
【００１０】１  プリンターインクの吸着層（実施例２によるポリビニールアルコールを主成分にしたインク吸着層の薬剤塗布層）２  インク吸着調整層（実施例３による水性ビニールを主成分にしたインクの吸収速度を調整する薬剤塗布層）３  薬剤を塗布する基材（紙もしくはフイルム）